(57)【要約】本発明は、ボイスメールショートメッセージング方法（１０，２０，３０）と、手段と、加入者端末（５００）とに関する。特に、インターネット互換コンピュータと、パーソナルディジタルアシスタントと、電話および移動局との間で、ボイスメールを交換された瞬間のパケットに対する方法および手段に関する。特に、発明の加入者端末（５００）は、通常の携帯または固定電話ネットワーク（５２０）と、インターネット接続（５１０）の両方によって、オーディオおよび／またはビデオ装置（５５０）の組合せ使用を許可するハードウェアおよびソフトウェアセットアップに関する。発明の加入者端末（５００）は、多数の利点によって前記インターネットと電話ネットワークの両方のフレキシブルな使用を許可する。多数の利点のうちの１つとして、学習下での発明のボイスメールショートメッセージング方法がある。少なくとも１つの加入者端末を具備する発明のボイスメールメッセージング方法（１０）は、サーバーを独立することによって特徴づけられる。
2004507944.tif 000002
【特許請求の範囲】
【請求項１】
少なくとも１つの加入者端末を具備するボイスメールメッセージング方法であって、
少なく１人の受取人または１つのグループを選択する段階（１１０）と
少なくとも１つのボイス／ビデオメッセージを記録する段階（１２０）と
少なくとも１つの記録を少なくとも１つのデータファイルに書き込む段階（１３０）と
電話ネットワークまたはインターネットを介して、少なくとも１つのデータファイルを少なくとも１人の受取人に送信する段階と
を具備することを特徴とするボイスメールメッセージング方法。
【請求項２】
少なくとも１つの加入者端末を具備するボイスメールメッセージング方法であって、
少なく１人の受取人または１つのグループを選択する段階（２１０）と
少なくとも１つのボイス／ビデオメッセージを記録する段階（２２０）と
電話ネットワークまたはインターネットを介して、少なくとも１人の受取人にデータパケットをストリーミングする段階（２３０）と
少なくとも１人の受取人がパケットストリームを受信および／または再構築する段階（２４０）と
を具備することを特徴とするボイスメールメッセージング方法。
【請求項３】
少なくとも１つの加入者端末を具備するボイスメールメッセージング方法であって、
少なく１人のメッセージ受取人を選択する段階（３０５）と
少なくとも１つのボイス／ビデオメッセージを記録する段階（３１０）と
少なくとも１つの記録を少なくとも１つのデータファイルに書き込む段階（３１５）と
少なくとも１つのデータファイルをＩＰ−パケットに分解する段階（３２０）と
電話ネットワークまたはインターネットを介して、少なくとも１人の受取人にパケットをストリーミングする段階（３２５）と
を具備することを特徴とするボイスメールメッセージング方法。
【請求項４】
スピーチ認識、専用キーボードアクセラレーター、ホットキー、専用キー、または、これらいずれかの組み合わせまたはこれらの置換によって前記端末装置の“接触”ファイルからポインタで前記受取人にラベルを貼ることにより、電話番号（４２０）に基づいて、または、前記加入者端末の電話帳内で前記受取人の電話番号に対応する名前に基づいて、前記受取人は選択されることを特徴とする請求項１ないし３のうちいずれか１に記載のボイスメールメッセージング方法。
【請求項５】
前記電話番号（４２０）および／または名前は、インターネット上、前記電話ネットワークまたは前記加入者端末のメモリから、ＩＰ−アドレス（４３０）、ｅメールアドレス（４４０）および／またはＩＳＤＮアドレスに変換されることを特徴とする請求項１ないし４のうちいずれか１に記載の方法。
【請求項６】
少なくとも１つの加入者端末は、ＴＣＰ／ＩＰ、ＣＤＭＡ、ＧＳＭ、ＧＰＲＳ、ＷＣＤＭＡ、ＵＭＴＳ、Ｔｅｌｄｅｓｉｃ、Ｉｒｉｄｉｕｍ、Ｉｎｍａｒｓａｔ、ＩＰ−ＲＡＮ、ＷＬＡＮ、Ｇｌｏｂａｌｓｔａｒ、ＤＩＧＩ−ＴＶ、ＳＳ７、ＨＴＴＰ、Ｈ３２３、ＩｒＤＡ、Ｂｌｕｔｏｏｔｈ、ＮＡＤＣ、ＰＣＳ、ＪＤＣ、ＩＳＤＮ、ＴＤＭＡ、ＥＤＧＥおよび／またはｉモード（登録商標）コンプライアント（ｃｏｍｐｌｉａｎｔ）移動局またはパーソナルコンピュータまたはアップルマッキントッシュ（登録商標）コンピュータおよび／またはＰＤＡであることを特徴とする請求項１ないし３のうちいずれか１に記載の方法。
【請求項７】
受信器が利用できない場合、前記ボイスメールメッセージは、中央サーバーに格納されることを特徴とする請求項１ないし３のうちいずれか１に記載の方法。
【請求項８】
前記受信端末がデータフォーマットを再生できない場合、前記データ送信は、中央サーバーに格納され、前記サーバーは、再現データフォーマットに前記データフォーマットを変換し、かつ、それを同じディレクトリーまたは他のディレクトリーに送信し、
および／または前記サーバーは、リアルタイムまたは後に、電話通信接続および／またはインターネット接続を介して、受信加入者端末で音を出し、かつ、再生するために、前記データフォーマットを変換することを特徴とする請求項１ないし３および／または請求項７のうちいずれか１に記載の方法。
【請求項９】
前記パケットは、ＩＰ−パケットであり、前記データファイルは、ＭＰ３−またはＷＡＶ−ファイルであり、それらの送信および受取は、ＴＣＰ／ＩＰ、ＣＤＭＡ、ＧＳＭ、ＧＰＲＳ、ＷＣＤＭＡ、ＵＭＴＳ、Ｔｅｌｄｅｓｉｃ、Ｉｒｉｄｉｕｍ、Ｉｎｍａｒｓａｔ、ＩＰ−ＲＡＮ、ＷＬＡＮ、Ｇｌｏｂａｌｓｔａｒ、ＤＩＧＩ−ＴＶ、ＳＳ７、ＨＴＴＰ、Ｈ３２３、ＩｒＤＡ、Ｂｌｕｔｏｏｔｈ、ＮＡＤＣ、ＰＣＳ、ＪＤＣ、ＩＳＤＮ、ＴＤＭＡ、ＥＤＧＥおよび／またはｉモード（登録商標）標準で確認することを特徴とする請求項１ないし３のうちいずれか１に記載の方法。
【請求項１０】
少なくとも１人の受取人は、前記データファイルおよび／またはパケットストリームを受信および再生し、かつ、前記受取人は、少なくとも１人の送信者および／または少なくとも１人の受取人に応答するための機会が与えられることを特徴とする請求項１ないし３のうちいずれか１に記載の方法。
【請求項１１】
前記段階１４０、２３０、３２５の少なくとも１つは、通信接続または電話線を介して、プレイバックとして、接続をダイヤリングし、かつ、前記ファイルを再生することを特徴とする請求項１ないし３のうちいずれか１に記載の方法。
【請求項１２】
ソフトウェア（５３０，５４０）、インターネット接続（５１０）および／または電話ネットワーク接続（５２０）を具備する加入者端末（５００）であって、
前記ソフトウェア（５３０，５４０）は、前記インターネット（５１０）および／または前記ネットワーク接続（５２０）の両方を同時または別々の時間で使用してデータを送受信するために、および／または、ファイルを記録するためにおよび／または、再生するために設けられ、
前記ソフトウェア（５３０，５４０）は、前記両接続（５１０，５２０）とともに、同じオーディオおよび／またはビデオ装置（５５０）のいくつかまたは全てを使用するために設けられることを特徴とする加入者端末。
【請求項１３】
前記ソフトウェアアプリケーション（５３０）は、前記インターネット接続装置（５１０）および／または電話ネットワーク接続装置（５２０）のために、前記ソフトウェアおよび／または通信ドライバーと接続するＭＰ３−またはＷＡＶ−メディアプレーヤーまたは他のメディアプレーヤーであることを特徴とする請求項１２に記載の加入者端末（５００）。
【請求項１４】
前記加入者端末（５００）は、ＴＣＰ／ＩＰ、ＣＤＭＡ、ＧＳＭ、ＧＰＲＳ、ＷＣＤＭＡ、ＵＭＴＳ、Ｔｅｌｄｅｓｉｃ、Ｉｒｉｄｉｕｍ、Ｉｎｍａｒｓａｔ、ＩＰ−ＲＡＮ、ＷＬＡＮ、Ｇｌｏｂａｌｓｔａｒ、ＤＩＧＩ−ＴＶ、ＳＳ７、ＨＴＴＰ、Ｈ３２３、ＩｒＤＡ、Ｂｌｕｔｏｏｔｈ、ＮＡＤＣ、ＰＣＳ、ＪＤＣ、ＩＳＤＮ、ＴＤＭＡ、ＥＤＧＥおよび／またはｉモード（登録商標）コンプライアント移動局またはパーソナルコンピュータまたはアップルマッキントッシュ（登録商標）コンピュータおよび／またはＰＤＡであることを特徴とする請求項１２に記載の加入者端末（５００）。
【請求項１５】
前記加入者端末（５００）は、前記インターネット接続（５１０）と前記電話ネットワーク接続（５２０）の両方から、前記オーディオおよび／またはビデオ装置（５５０）に対する一般的なデータバスを有する、ＵＭＴＳ−、ＧＳＭ−、ＷＡＰ−、Ｔｅｌｄｅｓｉｃ−、Ｉｎｍａｒｓａｔ−、Ｉｒｉｄｉｕｍ−、ＧＰＲＳ−、ＣＤＭＡ−および／またはＷＣＤＭＡ移動局またはパーソナルコンピュータまたはアップルマッキントッシュ（登録商標）コンピュータおよび／またはＰＤＡであることを特徴とする請求項１２に記載の加入者端末（５００）。
【請求項１６】
少なくとも１つのソフトウェア（５３０，５４０）は前記加入者端末（５００）のオペレーティングシステムの統合部分の一部および／または前記加入者端末（５００）の前記オペレーティングシステムの制御下で動作するアプリケーションであることを特徴とする請求項１２または請求項１３記載のソフトウェアアプリケーション。
【請求項１７】
少なくとも１つのメディアプレーヤーと、少なくとも１つのダイヤラーと、少なくとも１つの電話接続および／または少なくとも１つのネットワーク接続を具備するネットワークサーバーであって、
前記ネットワークサーバーは、データファイルフォーマット内に、配信されなかったメッセージまたはメッセージのコピーを受信、格納、かつ、転送するために配置され、
前記ネットワークサーバーは、ディレクトリーに、ファイルフォーマット内に電子的に少なくとも１つの他のネットワークサーバーまたはボイスメールボックスにおよび／または、少なくとも１人の受取人および／または１つのボイスメールボックスに、少なくとも１つのメディアプレーヤーで前記メッセージを電話ラインに流すことによって、メッセージを再送、および／または、リルーティングするために設けられることを特徴とするネットワークサーバー。
【請求項１８】
再送および／またはリルーティングするディレクトリーは、前記受取人のｅメールまたはボイスメールであることを特徴とする請求項１７に記載のネットワークサーバー。
【請求項１９】
受取人接触情報、少なくとも１つの電話および／またはインターネット接続手段、メディアレコーダーおよびユーザインターフェースおよびオーディオおよび／またはビデオ記録および／または再生手段を具備するクライアント端末であって、
前記ユーザインターフェースからの少なくとも１つの専用行為は、関連した受取人接触情報から少なくとも１人のメッセージ受取人、または、受取人のグループを示し、かつ、前記オーディオおよび／またはビデオ記録および／または再生手段からオーディオおよび／またはビデオ信号をデータファイルに記録するために、前記メディアレコーダーを設け、前記データファイルは、さらに、前記電話および／またはインターネット接続を使用して少なくとも１つの示された受取人に、送信、再生、および／または、再現されることを特徴とするクライアント端末。
【請求項２０】
前記専用行為は、口述で与えられ、かつ、スピーチ認識、現実またはバーチャルなボタン、専用キーボードアクセラレーター、ホットキー、専用キー、または、これらいずれかの組み合わせまたはこれらの置換によって、認識されることを特徴とする請求項１９記載のクライアント端末。
【発明の詳細な説明】
【０００１】
【発明の属する技術分野】
本発明は、ボイス（音声）メールショートメッセージング方法、手段および加入者端末に関する。特に、それは、インターネット互換性のあるコンピュータやパーソナルディジタルアシスタントや電話と、移動局との間での瞬間（ｉｎｓｔａｎｔａｎｅｏｕｓ）ボイスメールに対する方法および手段に関する。特に、本発明の加入者端末は、通常の携帯電話ネットワークまたは固定電話ネットワークと、インターネット接続の両方とともにオーディオおよび／またはビデオ装置の組合使用（ｃｏｍｂｉｎｅｄ ｕｓｅ）を許可するハードウェア、および、ソフトウェアのセットアップに関する。
【０００２】
【従来の技術】
ボイスメールを交換する従来のパケット技術（ｐｒｉｏｒ ａｒｔ ｐａｃｋｅｔ ｓｗｉｔｃｈｅｄ ｖｏｉｃｅｍａｉｌ）は、前記ボイスメールがＧＰＲＳ移動局および／またはＵＭＴＳ移動局の間で配信される方法を特徴とする。前記ボイスメールメッセージは、ＩＰアドレスまたはＩＳＤＮアドレスに送信される。ボイスメールを交換する従来のパケット技術は、引用してここに組込まれているＷＯ００／０２３６７公報に記載されている。
【０００３】
【発明が解決しようとする課題】
一般的に、従来技術の加入者端末は、インターネット接続、および、電話ネットワーク接続の両方とともに、同じオーディオ、および／または、ビデオ装置の一様な相互作用を許可しない。例えば、ＷＡＰ適合の（ｃｏｍｐａｔｉｂｌｅ）移動電話は、インターネットをブラウジングするときに、前記電話オーディオ装置を使用するための柔軟さ（ｆａｃｉｌｉｔｙ）を欠いている。
【０００４】
前記従来技術は、いくつかの不都合を有する。第１に、前記従来技術の方法は、限られた数の装置間で、すなわち移動局間でボイスメールを送信するためにのみ適用できるものである。第２に、ＩＰアドレス、または、ＩＳＤＮアドレスの使用は、概念的に困難なものである。また、それは特に、受信器が常設のＩＰアドレスではなく、どちらかといえばダイナミックなものを有している場合、技術的に困難なものである。第３に、特定のボイスメール中央サーバーは、前記従来の方法のために必要不可欠な要件である。これは、不必要なネットワークハードウェアを導入することになる。
【０００５】
従来技術の移動加入者端末は、インターネット接続による機能を有しているオーディオの前記使用を許可しない。これは、ＩＰ−協定（ｃｏｎｆｅｒｅｎｃｅ）を設け、インターネット要求を行い、ハイパーリンクを動作し、かつ、ボイスメールのようなパケットオーディオ／ビデオデータを送信、および、導入するための柔軟さを一様に制限する。
【０００６】
本発明の目的は、前述の不都合を取り除くことである。本発明の方法は、ボイスメールが、ソフトウェアと移動局の両方からフレキシブルな方法で、電話番号に直接送信されることを許可する。前記発明の方法および手段は、瞬間ボイスメールが、その装置の前記電話番号または他の直接の情報におけるいくらかのインターネット互換装置と送受信されることを許可する。前記メッセージを格納する中央サーバーにとって、任意の必要性のみがあることになる。
【０００７】
【課題を解決するための手段】
ＩＰ協定、および、インターネット要求は、前記発明の加入者ターミナルに従って前記電話オーディオ装置によって設けられるようにしてもよい。さらに、ボイスハイパーリンクは、同じオーディオ装置よって容易に動作する。また、ボイスメールを交換するパケットの送信、受信、および、復元は、前記発明に従って、前記加入者端末とともに一様である。
【０００８】
さらに、前記発明の目的は、ＩＰアドレス、Ｅメールアドレス、電話番号、および／または、ＩＳＤＮアドレスの間で、一様に、かつ、瞬間的に、ボイスメールを交換するためのインターフェース、および、方法を、適した発明のユーザに導入することである。
【０００９】
前記発明の前述の利点の多く、または、全ては、好適には、ボタンを押すことによって、移動局の電気的な電話帳から受取人（ｒｅｃｉｐｉｅｎｔ）が選択されるような発明の特別な代表的な実施形態で実行される。前記メッセージが口述されると、前記ボタンは、押される。前記口述は、前記移動局から前記サーバーに開放する通信接続がある場合に、ネットワークでの移動局上またはサーバー上またはインターネット上のデータファイルにフォーマットを交換されたパケット（ｐａｃｋｅｔ ｓｗｉｔｃｈｅｄ ｆｏｒｍａｔ）が記録される。一度、前記ボタンが解除されると、前記記録が終了され、前記データファイルは、前記受取人に送信される。圧縮、および、暗号の方法は、前記データファイル。および／または、パケットストリームとともに用いられてもよい。前記データファイルは、前記受取人の電話番号に直接送信されるか、または、ＴＣＰ−、ＩＰ−、ＵＤＰ−、Ｈ３２３−、ＨＴＴＰ−、ＳＭＳ−、ＭＭＳ−または他のプロトコル、または、メッセージ配信サービスのような送信プロトコルの種類によって、前記インターネットを介して、前記受取人のＩＰアドレスに送信されるようにしてもよい。受取人のＩＰアドレスは、前記受取人の電話番号、名前、または、他の情報を基礎として、中央ルックアップサーバーから見つけられる。さらに、前記電話番号は、前記ルックアップサーバーを照会する（ｑｕｅｒｙｉｎｇ）ことによって、受取人に関連する前記ＩＰアドレス、または、他の情報を基礎として、見つけられるようにしてもよい。
【００１０】
一度、前記データファイルが受信されると、それは、ボタンを押すことによって、前記受取人の前記移動局ですぐに再生される。また、前記ユーザは、他の記録とともに、前記ボイスメールに対してすぐに応答してもよい。前記受取人の移動局が到達されることができない場合、前記メッセージは、不定時間の間、前記ネットサーク内の中央サーバー上、または、前記インターネット上に格納されるようにしてもよい。また、前記受信端末が記録されたフォーマットを再生できない場合、それは、前記中央サーバー上でデータフォーマットを交換した適当なパケットに適合されるようにしてもよいし、あるいは、それは、ボイス、または、データ接続を介して、前記受取人に前記電話ラインを中断させることもできる。
【００１１】
いくつかの好適な実施形態では、前記ボイスメッセージは、リアルタイムで前記インターネットを介して、前記受取人に流され、そして、前記受取人は、リアルタイムでそれを再生してもよい。いくつかの実施形態では、前記加入者端末は、ＰＣ内の仮想のソフトウェア電話である。このソフトウェアは、通信するためになるべく前記移動局と直接に適合する。ここで概要として述べられた前記メッセージとの通信は、前記ユーザがたいてい限定されたキーボードでメッセージを書かなければならないものでも、他の末端で答えるために前記受取人を待たなければならいものでもない、同時のＳＭＳ−メッセージ、ｅメール、または、電話呼出よりも早いものである。とても早いボイスメール“ピンボール（ｐｉｎｇ−ｂａｌｌ）”は、発明の概要として述べられた好適な実施形態によって可能となる。
【００１２】
前記発明の前述の利点の多く、または、全ては、好適には、前記加入者端末のオーディオおよびビデオソフトウェアが、前記インターネットおよび通常の電話ネットワーク接続の両方を制御することが可能であるような、本発明の加入者端末の特別な代表的な実施形態で実行される。これは、前記電話ネットワークを介して送信されるセットアップ信号によるＩＰ−協定の実施を許可する。これは、移動局と他の端末およびＰＣと他の端末の両方間で、ボイスメールを交換するパケットの一様な送信、受信および処理を許可する。前記発明のソフトウェアは、ＰＣと移動局との間に、一様なＩＰ−協定を許可する。また、それは、加入者端末からボイスハイパーリンクの効率的な展開を許可する。また、いくつかの好適な実施形態では、それは、最も少ない費用でのルーティングを許可する。いくつかの好適な実施形態では、ＩＰ−協定を形成するか、または、通常の電話搬送波を介してルーティングするかどうかの選択は、この発明の加入者端末および関連するソフトウェアとともに、経済およびサービス品質（Ｑｏｓ）基準を基礎として行われる。
【００１３】
少なくとも１つの加入者端末を具備するボイスメールメッセージング方法は、少なくとも１人のメッセージ受取人またはグループを選択する段階と、少なくとも１つのボイス／ビデオメッセージを記録する段階と、少なくとも１つの記録を少なくとも１つのデータファイルに書く段階と、電話ネットワークまたはインターネットを介して、少なくとも１人の受取人に少なくとも１つのデータファイルを送信する段階とを具備することを特徴とする。
【００１４】
少なくとも１つの加入者端末を具備するボイスメールメッセージング方法は、少なくとも１人のメッセージ受取人またはグループを選択する段階と、少なくとも１つのボイス／ビデオメッセージを記録する段階と、電話ネットワークまたはインターネットを介して、少なくとも１人の受取人にデータパケットをストリーミングする段階と、を具備し、少なくとも１人の受取人は、パケットデータを受信および／または再構築することを特徴とする。
【００１５】
少なくとも１つの加入者端末を具備するボイスメールメッセージング方法は、少なくとも１人のメッセージ受取人を選択する段階と、少なくとも１つのボイス／ビデオメッセージを記録する段階と、少なくとも１つの記録を少なくとも１つのデータファイルに書き込む段階と、ＩＰ−パケット中の少なくとも１つのデータファイルを分解する段階と、電話ネットワークまたはインターネットを介して、少なくとも１人の受取人にパケットをストリーミングする段階とを具備することを特徴とする。
【００１６】
本発明に従って、ソフトウェア、インターネット接続および／または電話ネットワーク接続を具備する加入者端末は、前記ソフトウェアが、データを送信および受信するために、および／または、記録するために、および／または、インターネットおよび／または電話ネットワーク接続を、同時に、または、別々の時間で使用するファイルを再生するために設けられ、前記ソフトウェアが、前記接続の両方によって、同じオーディオおよび／またはビデオ装置のいくつかまたは全てを使用するために設けられることを特徴とする。
【００１７】
本発明に従って、少なくとも１つのメディアプレーヤー、少なくとも１つのダイヤラー、少なくとも１つの電話接続および／または少なくとも１つのデータネットワーク接続を具備するネットワークサーバーは、前記ネットワークサーバーが、データファイルフォーマット内に、配信されていないメッセージまたはメッセージのコピーを受信、格納および転送するために設けられ、前記ネットワークサーバーは、ディレクトリーに、ファイルフォーマット内に電子的に少なくとも１つの他のネットワークサーバーまたはボイスメールボックスにおよび／または、少なくとも１人の受取人および／または１つのボイスメールボックスに、少なくとも１つのメディアプレーヤーで前記メッセージを電話ラインに流すことによって、メッセージを再送、および／または、リルーティングすることを特徴とする。
【００１８】
受取人接触情報、少なくとも１つの電話および／またはインターネット接続手段、メディア記録器およびユーザインターフェースおよびオーディオおよび／またはビデオ記録および／または再生手段を具備するクライアント端末は、前記ユーザインターフェースからの少なくとも１つの専用機能が、関連付けられた受取人コンタクト情報から少なくとも１人のメッセージ受取人、または、グループを指示し、かつ、前記電話および／またはインターネット接続を使用する少なくとも１人の指示された受取人に、さらに送信、再生、および／または、再生されるデータファイルを、オーディオ、および／または、ビデオ記録、および／または、再生手段からオーディオ、および／または、ビデオ信号を記録するために前記メディア記録器を設けることを特徴とする。
【００１９】
【発明の実施の形態】
前記好適な実施形態のいくつかは、独立請求項に記載されている。
【００２０】
図１の段階１１０では、前記メッセージ受取人が選択される。前記受取人は、前記端末装置の前記“接触（ｃｏｎｔａｃｔ）”ファイルからポインタで前記受取人にラベルを貼ることによって選択されてもよい。前記受取人は、スピーチ認識、専用のキーボードアクセラレーター、ホットキー、専用キー、または、これらいくつかの実施形態のいずれか組み合わせまたは変形によって、選択されるようにしてもよい。何人かの受取人またはグループは、いくつかの実施形態で選択されてもよい。段階１２０では、前記ボイス／ビデオメッセージは、フォーマットを交換されたパケットで記録されるが、いくつかの実施形態では他のフォーマットでも可能である。いくつかの実施形態では、段階１１０、および、段階１２０の順序が逆となってもよい。従って、前記記録は、段階１３０でデータファイルに書き込まれる。これらの段階の初めから終わりまでの間、段階間、または、段階後に、ディレクトリールックアップが、いくつかの好適な実施形態で実行されるようにしてもよい。前記受取人の電話番号は、ある好適な実施形態では、ＩＰ−アドレスに変換される。ディレクトリールックアップおよび変換に対する従来技術の解決法は、発明の名称が“テルネットワーク・ディレクトリー・テンプレート”として出願番号ＦＩ１９９９２７７４がここに引用される本願の出願人の特許出願に示されている。
【００２１】
ある変形例の実施形態では、前記加入者端末でのソフトウェアは、ソフトウェアアプリケーションが格納された電話番号を有している。電話番号と現在のＩＰ−アドレスの両方は、中央サーバーに与えられる。次いで、電話番号とＩＰ−アドレスは、接触がソフトウェアアプリケーション間でなされるときに、互いに交換可能として使用される。そのためにこれらの電話番号が対応ＩＰ−アドレスを有する場合には、フォーマットを交換されたパケット内の情報は、直ちに、各電話番号に送信される。ここで、ディレクトリールックアップは、ディレクトリーにメッセージを配信するために、前記ネットワーク、ネットワークサーバーおよび／または端末から、他の対応ｅメール、ＩＰ−アドレス、ＵＲＬ、ＩＳＤＮ番号、電話番号または類似のディレクトリーへ、例えば、ｅメール、ＩＰ−アドレス、ＵＲＬ、ＩＳＤＮ番号、電話番号またはそれらに類似のディレクトリー情報の交換回復（ｉｎｔｅｒｃｈａｎｇｅ ｒｅｔｒｉｅｖａｌ）および／または比較として確立される。
【００２２】
段階１４０では、前記データファイルは、電話ネットワークまたはインターネットを介して、前記受取人に送信される。いくつかの実施形態では、前記加入者端末が移動局であり、前記メッセージは、無線領域が充分であるという状態でのみ、送信される。いくつかの実施形態での試みは、様々な間隔で前記メッセージを送信させることであり、前記試みが失敗する場合には、一般的に、前記メッセージはさらに別に試みられるまでの間、延期される。多くの実施形態では、例えば、適当なネットワークアクセス、無線ネットワークアクセス、無線信号強度、帯域、認証またはそのような好適な環境が発生すれば、送信するために待機しつづけてもよい。一般的に、前記送信は、ＩＰ−アドレスに対して行われる。特に、前記受取人のＩＰ−アドレスがダイナミックなものであるような場合、前記ディレクトリールックアップは、有利な特徴となる。前記受取人が固定ＩＰ−アドレスを有しているいくつかの実施形態では、前記ＩＰ−アドレスが各回ごとに別々に検索される必要はない。いくつかの好適な実施形態では、複数の受取人のＩＰ−アドレスは、前記加入者端末に格納される。いくつかの実施形態では、複数の受取人の固定ＩＰ−アドレスのみが格納される。
【００２３】
いくつかの実施形態では、前記メッセージは、ＳＳ７−、ＧＳＭ−、Ｈ３２３−、ＨＴＴＰ−、ＧＳＭ−データ、ＩＰ−ＲＡＮ、ＵＭＴＳ−、ＷＡＰ−、Ｔｅｌｄｅｓｉｃ−、Ｉｎｍａｒｓａｔ−、Ｉｒｉｄｉｕｍ（イリジウム）−、ＧＰＲＳ−、ＣＤＭＡ−データ−、ＷＣＤＭＡ−データ−、ＨＴＴＰ−、Ｈ３２３−、ＳＭＳ−、ＭＭＳ−、ｅメール−ＬＡＮ−、ＴＣＰ／ＩＰ、ｉモード（登録商標）−、Ｇｌｏｂａｌｓｔａｒ（グローバルスター）−および／またはＷＬＡＮ−接続によって、送信される。いくつかの実施形態では、前記メッセージは、ｅメールに添付されたファイル内に記録される。次いで、前記ｅメールは、前記受取人に送信される。いくつかの実施形態では、前記メッセージは、次いで、テキストフォーマットに符号化されたデータファイルに記録される。次いで、このテキストは、前記受取人に次いで送信されるｅメールにペースト／書き込みされる。いくつかの実施形態では、前記受取人は、例えば、前記テキストフォーマットをデータファイルに戻す復号化によって、前記テキストフォーマットから前記メッセージを再生することができる。次いで、前記データファイルは、ＷＡＶ−プレーヤーまたはＭＰ３−プレーヤーのようなメディアプレーヤーで再生されることができる。いくつかの実施形態では、メッセージは、前記同じファイル／メッセージまたはそうでないもののいくつかのコピーを送信することによって、何人かの受取人、１つのグループまたはいくつかのグループまたは複数のグループと個々に送信されるようにしてもよい。
【００２４】
段階１５０では、前記受取人は、前記データファイルを再生する。いくつかの実施形態では、前記メッセージは、それが受信された後、自動的に再生される。この特徴は、いくつかの実施形態ではユーザが構成することができる。段階１６０で、前記受取人は、送信者に直接応答してもよい。これは、前記データファイルが再生された後にボタンを押すこと、および、応答として、最初の送信者に送信される他のデータファイルを口述（ｄｉｃｔａｔｅ）することによって実行されてもよい。いくつかの実施形態では、また、他の受取人、または、第三者にメッセージを転送することが可能である。いくつかの好適な実施形態では、前記データファイルは、一般的に、ＭＰ３−、ＷＡＶ−、または、リアルシステムセキュアデータファイル（ＲｅａｌＳｙｓｔｅｍ Ｓｅｃｕｒｅ ｄａｔａ ｆｉｌｅ）である。
【００２５】
ある特別な実施形態では、前記発明の方法は、移動局で実施される（ａｒｒａｎｇｅ）。ある実施形態では、前記方法は、前記移動局のＳＩＭ（加入者識別モジュール Ｓｕｂｓｃｒｉｂｅｒ Ｉｄｅｎｔｉｔｙ Ｍｏｄｕｌｅ）カード上で動作するように設けられたコンピュータプログラムによって実現される。前記ＳＩＭカードは、一般的に、ＣＰＵ、ＥＥＰＲＯＭ−、ＲＯＭ−、および、ＲＡＭ−メモリを有している。この特別な実施形態のある段階では、前記メッセージ受取人、何人かの受取人、または、グループは、前記ＳＩＭカードの前記メモリから、または、前記移動局の前記メモリから選択されるようにしてもよく、または、それは、前記移動局に入力される。ボタンを押すというような専用の行為がとられると、データファイルは、利用可能である前記口述、ボイス、または、ビデオから記録される。前記ＳＩＭカードの前記ＥＥＰＲＯＭ、および／または、ＲＡＭ上に、または、前記移動局のメモリ上に置かれたメディアプレーヤー／レコーダーは、一般的に、前記ファイルの記録を行う。いくつかの実施形態では、それ自身が前記ＳＩＭカード、および／または、前記移動局の前記ＲＡＭメモリに記録される。この後、前記移動局は、前記受取人、前記受取人の第２アドレスに前記ファイルを転送し、または、前記受取人の電話番号をダイヤルし、かつ、前記呼出が応答されるときには前記受取人に、または、前記呼出が前記ボイスメールボックスによって答えられる場合には前記ボイスメールボックスに、プレイバックとして前記メッセージを再生する。データ、または、ボイス呼出のダイヤリングは、前記ＧＳＭ明細書の前記段階２＋で特定されている前記ＳＡＴ ＳＩＭアプリケ−ションツールキットの前記予防（ｐｒｏａｃｔｉｖｅ）ＳＩＭ特徴を使用するいくつかの実施形態で、同様に、前記ＳＩＭカードから実現されるようにしてもよい。
【００２６】
前記発明のいくつかの実施形態では、接頭部、および、接尾部は、前記ネットワーク、前記ＳＩＭ、または、前記移動局メモリに格納されてもよく、かつ、前記データファイル内の記録より前に再生される。前記接頭部、および／または、接尾部は、例えば、“Ｍｒ． Ｊｅｒｏ Ｊａｒｖｅｎｐａａ からのメッセージを聞く”というメッセージの後に、メッセージ“これはＪｅｒｏ Ｊａｒｖｅｎｐａａのメッセージが終了した”が再生できる。前記メッセージが受信されたという事実は、前記発明に従った様々な方法で検出される。前記受取人、または、前記ボイスメールボックスが、応答、または、停止するとき、前記メッセージが配信されたことを通知するために使用される可能性があるＤＴＭＦトーンは、送信、および、検出されてもよい。あるいは、前記受取人は、前記メッセージが本当に受信、および／または、理解されたという信号を送信するために、ボタンを押すこと、または、専用の行為を実行することを求められる。前記受取人の１人、または、数人が利用不可能である場合、前記メッセージは、メモリに保有されてもよいし、前記メッセージを送信するために、いくつかの他の試みがなされてもよい。いくつかの実施形態では、前記メッセージに対して、例えば、他の機能による時間、メモリ上の要求のような満了条件、または、様々な他の条件をセットすることが可能である。いくつかの実施形態では、前記ＳＩＭ、および、移動局は、例えば、接続を形成し、または、ダイヤリングするための前記受取人選択、および、命令を実行するＳＩＭと、メディアプレーヤーを提供することによる移動局とによって、互いにその方法を実行するようにしてもよい。多くの従来技術端末は、もうすでにＭＰ３プレーヤーまたはそのような機能を有している。
【００２７】
図２の段階２１０では、前記メッセージ受取人は、電話番号の入力、または、電子的電話帳などからの名前選択によって、選択される。受取人は、例えばＩＰ−アドレスを基礎とするように、他のディレクトリー情報を基礎として選択されてもよい。このように、段階２２０では、ボイス／ビデオメッセージは、一般的に記録されるが、フォーマットを交換されたパケットでは必要とされない。いくつかの実施形態では、段階２１０、および、段階２２０の順番を逆としてもよい。
【００２８】
段階２３０では、パケットは、電話ネットワーク、または、インターネットを介して受取人にストリームされる。いくつかの実施形態では、段階２３０、および、段階２１０は、同時でもよい。段階２４０で、前記受取人は、前記パケットストリームを受信し、かつ、リアルタイムで再生してもよい。あるいは、段階２４０で、前記受取人は、前記パケットストリームを、前記加入者端末のメモリ、および／または、電話ネットワーク内のサーバー、または、インターネット上に格納され、後に再生されることができるデータファイルに再構築してもよい。段階２６０では、受信の場合、前記受取人は、前記送信者に応答する機会が与えられる。いくつかの実施形態では、メッセージは、前記同じパケットストリームのいくつかのコピーを送信することによって、いくつかの受取人にストリームされるようにしてもよい。
【００２９】
いくつかの好適な実施形態では、段階２１０、２２０、２３０の初めから終わりまでの間、段階間、または、いずれかの段階後、ディレクトリールックアップが実行されるようにしてもよい。
【００３０】
図３の段階３０５では、前記メッセージ受取人は、電話番号の入力、または、電子的電話帳などからの名前の選択によって、選択される。この後に、段階３１０では、ボイス／ビデオメッセージは、フォーマットを交換されたパケットに記録される。いくつかの実施形態では、段階３０５、および、段階３１０の順を逆にしてもよい。
【００３１】
段階３１５では、前記記録がデータファイルに書かれる。この後に、段階３２０では、前記データファイルは、ＩＰ−パケット、または、例えば、Ｈ３２３、ＨＴＴＰのような、いずれかの他の情報送信プロトコルに分解される。段階３２５で、パケットは、電話ネットワーク、または、インターネットを介して、前記受取人、または、多数の受取人、または、グループにストリームされる。多くの実施形態では、パケットストリームは、適当なネットワークアクセス、無線ネットワークアクセス、無線信号強度、帯域、認証などを生じるような、好適な環境に、一度、送信するために待機し、停止し、かつ、次いで続行しつづけるようにしてもよい。
【００３２】
いくつかの好適な実施形態では、これらの段階の初めから終わりまでの間、段階間、または、いずれかの段階後、ディレクトリールックアップが実行されるようにしてもよい。
【００３３】
段階３３０で、受取人は、パケットストリームを直接再生し、および／または、前記データファイルを再構築してもよい。前記受取人は、前記パケットストリームを受信し、かつ、リアルタイムでそれを再生してもよい。いくつかの実施形態では、前記パケットストリームは、自動的に再生される。あるいは、段階３３０で、前記受取人は、前記パケットストリームを、前記加入者端末のメモリ、および／または、電話ネットワーク内のサーバー、または、インターネット上に格納され、後に再生されることができるデータファイルに再構築してもよい。段階３３５では、受信の場合、前記受取人は、前記送信者に応答する機会が与えられる。
【００３４】
一般的に、前記加入者端末は、インターネット接続、および／または、電話ネットワーク接続を備える移動局である。いくつかの好適な実施形態では、前記移動局は、一般的に、ＵＭＴＳ−、ＧＳＭ−、ＷＡＰ−、Ｔｅｌｄｅｓｉｃ−、Ｉｎｍａｒｓａｔ−、Ｉｒｉｄｉｕｍ（イリジウム）−、ＧＰＲＳ−、ＣＤＭＡ−、ＨＴＴＰ−、Ｈ３２３−、ＳＭＳ−、ＭＭＳ−、および／または、ＷＣＤＭＡ−スタンダードに従う。いくつかの好適な実施形態では、前記方法で使用された加入者端末は、インターネット接続、および／または、電話ネットワーク接続を備えたＰＣ、ＰＤＡ、パームコンピュータ、または、アップルマッキントッシュ（登録商標）コンピュータであってもよい。一般的に、前記本発明に従った前記加入者端末は、ウインドウズ（登録商標）、ウインドウズ（登録商標）ＮＴ−、Ｂｐｏｃ−、ウインドウズ（登録商標）ＣＥ−、ユニックス−、リナックス−、ＯＳ／２Ｓｙｍｂｉａｎ、エポック（Ｅｐｏｃ）、パームＯＳ、ポケットＰＣ、ＧＥＯＳ、ＭＳ−Ｓｔｉｎｇｅｒ、および／または、Ｓｙｂａｓｅのようなオペレーションシステムを有する。一般的に、方法１０，２０，３０の実行は、これらのオペレーティングシステムの制御下で動作する別々のソフトウェアアプリケーションで実現される。あるいは、方法１０，２０，３０の実行は、上述のオペレーティングシステムのいずれかに統合されるソフトウェアで実現される。いくつかの実施形態では、方法１０，２０，３０の前記実行と、それらの好適な（ｆａｖｏｕｒａｂｌｅ）置換と、他の実施形態とは、移動局、モデム、コンピュータ、無線、ＳＩＭカード、および／または、回線（ｌｉｎｅ）カードに対するＯＥＭソフトウェアによって、実現されてもよい。いくつかの実施形態では、方法１０，２０，３０の前記実行は、マイクロソフトアウトルック、アウトルックエクスプレスなどのようなｅメールクライアントソフトウェアに統合されるソフトウェアで実現されてもよい。いくつかの実施形態では、方法１０，２０，３０の前記実行は、ＳＡＴ（ＳＩＭアプリケーションツールキット（ＳＩＭ Ａｐｐｌｉｃａｔｉｏｎ Ｔｏｏｌｋｉｔ））、または、ＷＡＰの（無線アプリケーションプロトコル（Ｗｉｒｅｌｅｓｓ Ａｐｐｌｉｃａｔｉｏｎ Ｐｒｏｔｏｃｏｌ））のＷＴＡＩ（無線電話アプリケーションインターフェース（Ｗｉｒｅｌｅｓｓ Ｔｅｌｅｐｈｏｎｙ Ａｐｐｌｉｃａｔｉｏｎ Ｉｎｔｅｒｆａｃｅ））の使用によって開発されたソフトウェアで実現されてもよい。
【００３５】
前記発明の方法に従った前記情報転送は、いくつかの実施形態で、一般的にパケットを交換され、前記加入者端末の様々なハードウェア、および、ソフトウェアセットアップと適合される調和（ｈａｒｍｏｎｉｏｕｓ）情報転送プロトコルに従う。一般的に、加入者端末の異なるハードウェアセットアップは、全てが内部的に互換性を有する（ｉｎｔｅｒｃｏｍｐａｔｉｂｌｅ）ような異なるクライアントソフトウェアプログラムを有している。例えば、いくつかの好適な実施形態では、前記データファイルは、前記発明による加入者端末に存在する全てのソフトウェアプログラムによって、解釈されるＭＰ３−、または、ＷＡＶ−、または、リアルシステム（ＲｅａｌＳｙｓｔｅｍ）、セキュア−フォーマットである。また、様々な他の圧縮方法は、前記データファイルを作成するために使用される。
【００３６】
また、いくつかの好適な実施形態では、前記加入者端末は、前記発明によるダイレクト（ｄｉｒｅｃｔ）パケットストリームを処理するために互換性がある必要がある。このパケットストリームは、ＩＰ−（インターネットプロトコル）マルチキャスティング、ＴＣＰ−（トランスミッションコントロールプロトコル）、および／または、ＵＤＰ−（ユーザデータグラムプロトコル）データストリームであってもよい。また、いくつかの好適な実施形態では、前記データファイルは、これらのプロトコル、または、他を使用することで送信されてもよい。
【００３７】
前記受信加入者端末は、前記送信されたフォーマットを受信するために互換性がある場合には、前記フォーマットは、前記電話ネットワーク、移動電話ネットワーク内、および／または、インターネット上の中央サーバーで、前記受取人のデータフォーマットに適合させるようにしてもよい。前記受取人が前記ボイスメールを受信できない場合、前記メッセージは、前記時間内に中央サーバーに格納されるようにしてもよい。前記加入者端末がアナログ電話であり、さもなければ、前記ボイスメールの前記データフォーマットを解読、および、再現できない場合、常に、前記ボイスメールは、最後の手段として前記サーバーから前記電話ラインを中断させることができる。前記加入者端末が前記メッセージを再現、または、格納できないような全ての場合、いくつかの好適な実施形態では、バックアップサーバーは、前記送信で指示されるようにしてもよい。方法１０，２０，３０、または、それらの置換、または、実施形態のいずれかの段階の初めから終わりまでの間、段階間、または、いずれかの段階後、前記ＩＰ−アドレス、電話番号、ｅメールアドレス、または、前記バックアップサーバーの他のディレクトリー情報を与えるアドレスタグは、前記送信に添付されることができる。いくつかの好適な実施形態では、前記バックアップサーバーは、このアドレスタグを基礎として見つけられる。いくつかの実施形態では、前記オリジナルの配信が不成功である場合、前記配信不可能なメッセージは、前記ボイスメールボックス、ｅメール、または、前記受取人のいくつかの他のディレクトリーにルーティングされる。いくつかの実施形態では、このアドレスタグは、バックアップ配信のための必要条件として要求される。
【００３８】
音声認識は、方法１０，２０，３０のいずれかの段階前、段階間、または、段階後に、使用されるようにしてもよい。リグレット（ｒｅｇｒｅｔ）機能は、求められていない断続的な、または、完結したメッセージを破棄するために、方法１０，２０，３０のいずれかの段階の初めから終わりまでの間、段階前、段階間、または、段階後に使用されるようにしてもよい。いくつかの好適な実施形態では、音声認識は、前記口述を書かれたｅメール、ＳＭＳ−、ＭＭＳ−メッセージなどに変換するために使用される。
【００３９】
図４では、前記パケットストリーム、および／または、データファイルは、例えば、ＳＳ７、および／または、ＯＴＡ（Ｏｖｅｒ ｔｈｅ Ａｉｒ））、または、バーストのような前記電話ネットワークを介して、直接に前記電話番号に送信されてもよい。この場合、一般的に、前記受取人は、データモードで前記送信を受信するモデムを有する。前記メッセージが前記電話番号に配信されない場合、それは、前記受取人のＩＰ−アドレス４３０に送信されてもよい。前記ＩＰ−アドレス４３０は、前記送信が始められる前、前記電話番号の受取の失敗後、または、前記転送の間に、前記手順のいくつかの段階で中央サーバー４５０から検索されるようにしてもよい。ＩＰ−アドレスが有効でない場合、前記ボイスメールは、これが有効である場合、前記受取人の前記ｅメールアドレスに、今までどおりｅメールされるようにしてもよい。いくつかの好適な実施形態では、前記メッセージは、前記ＩＳＤＮ番号、ボイスメールボックス、移動電話ボイスメールボックス、または、他の電子的アドレスのような、いくつかの好適な電子的アドレスに送信されるようにしてもよい。いくつかの実施形態では、全ての認識は、少なくとも１つのバックアップサーバーを介して、処理されるようにしてもよい。
【００４０】
前記発明に従った図５の前記加入者端末５００は、マイクロフォン、スピーカー、ビデオカメラ、および／または、ディジタルカメラのような、オーディオ、および／または、ビデオ装置５５０を具備する。オーディオ／ビデオ装置５５０は、一般的に、前記オーディオ／ビデオ装置ドライバー５４０と、メディアプレーヤー５３０の両方を組み込み、または、使用可能であるソフトウェアによって制御される。いくつかの好適な実施形態では、これらのソフトウェア５４０、５３０は、データの送受信、および／または、前記ネットワーク、および／または、前記電話ネットワーク接続の両方を、同時に、または、別の時に、使用するファイルを記録、および／または、再生してもよい。
【００４１】
前記発明に従った前記発明の加入者端末のある好適な実施形態では、拘束力のないＩＰ−協定が、最初に試みられるために取り決められるようにしてもよい、そして、これができない場合、前記呼出は、前記電話ネットワークを介して、ここに引用されている特許出願ＦＩ１９９６０６１３に記載されているような最も安く、または、最も信頼できるキャリヤを使用してされることができる。
【００４２】
ある好適な実施形態では、ＳＭＳ−メッセージ、ＭＭＳ−メッセージ、ＤＴＭＦ−トーン、ＰＩＮＧ−信号、または、他の信号のような信号は、特定のＩＰ−アドレスにインターネット接続を形成するようなタイプの前記加入者端末を開始するために、使用されるようにしてもよい。ＩＰ−協定は、ここに引用されている特許出願ＦＩ２００００７８５による方法でセットされることができる。
【００４３】
前記発明に従った前記発明の加入者端末のある好適な実施形態では、前記ソフトウェア５３０、５４０は、ここに引用されている特許出願ＦＩ１００００２４９に従ったボイスハイパーリンクを動作するために設けられる（ａｒｒａｎｇｅ）。
【００４４】
また、前記発明５００に従った前記加入者端末は、ボイスメールが接続５１０、５２０の両方を介して送信されることを許可する。いくつかの好適な実施形態では、前記電話ネットワーク接続５２０は、単にボイス接続であり、前記オーディオ／ビデオプレーヤーは、いくつかの好適な実施形態で記録される前記受取人加入者端末に、前記ボイスメッセージを再生するために設けられる。この実施形態では、一般的に、電話番号がコンタクト（ｃｏｎｔａｃｔ）される。
【００４５】
いくつかの好適な実施形態では、前記ＩＰネットワーク接続５２０は、ＧＳＭ−データ、ＩＰ−ＲＡＮ、ＴＣＰ／ＩＰ、ＣＤＭＡ、ＧＳＭ、ＧＰＲＳ、ＷＣＤＭＡ、ＵＭＴＳ、Ｔｅｌｄｅｓｉｃ、Ｉｒｉｄｉｕｍ（イリジウム）、Ｉｎｍａｒｓａｔ、ＩＰ−ＲＡＮ、ＷＬＡＮ、Ｇｌｏｂａｌｓｔａｒ（グローバルスター）、ＤＩＧＩ−ＴＶ、ＳＳ７、ＨＴＴＰ、Ｈ３２３、ＩｒＤＡ、ブルーツゥース（Ｂｌｕｅｔｏｏｔｈ）、ＮＡＤＣ、ＰＣＳ、ＪＤＣ、ＩＳＤＮ、および／または、ｉモード（登録商標）接続のようなデータ接続である。
【００４６】
さらに有利な実施形態では、前記インターネット接続と前記電話ネットワークの両方から、前記オーディ、および／または、ビデオ装置まで一般的なデータバスが存在する（ｅｘｉｓｔ）。ここでは、同じオーディオ／ビデオ装置５５０は、ＩＰ−協定、電話協定（ｔｅｌｅｃｏｎｆｅｒｅｎｃｅ）、ボイスメールおよび／またはボイスメールを交換されたパケットでフレキシブルに使用されてもよい。これら全ての動作モード、および、それらの置換は、前記ソフトウェア５４０、５３０によって制御される。一般的に、前記ソフトウェア５３０、５４０は、ウインドウズ（登録商標）、ウインドウズ（登録商標）ＮＴ−、Ｅｐｏｃ−、ウインドウズ（登録商標）ＣＥ−、ユニックス（Ｕｎｉｘ（登録商標））−、リナックス（Ｌｉｎｕｘ）−、ＯＳ／２、Ｓｙｍｂｉａｎ、および／または、Ｓｙｂａｓｅアプリケーションとして実現される。また、それは、前記オペレーションシステムのいずれかの統合部分の一部として実現されてもよい。
【００４７】
いくつかの好適な実施形態では、また、前記ソフトウェア５３０、５４０は、前記発明に従った音声認識ソフトウェアを具備する。
【００４８】
図６では、好適な加入者端末のユーザインターフェース６００が図示されている。一般的に、前記ユーザインターフェース６００は、ＰＤＡおよび／または移動局の前後端末またはＰＣスクリーン上のバーチャル電話である。ある好適な実施形態では、一旦、前記ＶＳＭＳ、または、いずれか他のボタン、または、ボタンの組み合わせが押されると、記録が開始され、前記メッセージは、前記発明の方法１０，２０および／または３０に従って、送信されてもよい。前記ＶＳＭＳボタン、または、他のボタンまたはそれらの組合せの解除は記録を終了し、そして、前記発明に従って、前記メッセージを送信してもよい。いくつかの実施形態では、前記ボタンは、スクリーンから物理的に、または、マウスポインタによって、押されるようにしてもよい。いくつかの実施形態では、別々の専用キー、キーの組合せ、ショートカットキー、キーボードアクセラレーターなどは、メッセージを記録し、かつ、配信するために使用される。いくつかの実施形態では、専用キー、キーの組合せ、ショートカットキー、キーボードアクセラレーターは、受取人に対して専用である、特に、メッセージを記録し、かつ、配信するために使用される。前記専用キー、キーの組合せ、ショートカットキー、キーボードアクセラレーターは、受取人に対して専用である。例えば、ある実施形態では、ボタン“９”、または、Ｃｒｔ＋Ｍは、前記メッセージを、例えば、送信者“Ｍ”に、すなわち前記送信者のマザー（ｍｏｔｈｅｒ）に記録するとともに、配信するために使用される。もちろん、前記ホットキーと前記受取人との間の他の論理的な関係は、可能である。
【００４９】
ある好適な実施形態では、前記メッセージ、または、前記メッセージを含むパケットストリームの到達は、前記ＶＳＭＳボタンまたはいずれかの他のボタンまたはそれらの組合せで光を点滅させることによって、前記スクリーン６１０に示されてもよい。一度、前記受取人が前記ボタンを抑えると、前記メッセージは、前記加入者端末の前記オーディオ装置から再生される。いくつかの好適な実施形態では、また、前記発明の加入者端末は、到着したメッセージのためのインボックスとして機能する。
【００５０】
ある実施形態では、前記ユーザインターフェース６００は、移動局のユーザインターフェースである。ある実施形態では、前記方法は、前記移動局の前記ＳＩＭ（加入者識別モジュール Ｓｕｂｓｃｒｉｂｅｒ Ｉｄｅｎｔｉｔｙ Ｍｏｄｕｌｅ）カードを動作させるために設けられているコンピュータプログラムによって実現される。一般的に、前記ＳＩＭカードは、ＣＰＵ、ＥＥＰＲＯＭ−、ＲＯＭ−、および、ＲＡＭメモリを有している。この特別な実施形態のある段階では、前記メッセージ受取人、何人かの受取人、または、グループは、前記ＳＩＭカードの前記メモリ、または、前記移動局のメモリから選択されるようにしてもよく、すなわち、それは、前記移動局に入力される。ボタンを押すような専用行為が行われると、データファイルは、利用可能である前記口述、ボイス、または、ビデオから記録される。一般的に、メディアプレーヤー／レコーダーは、前記ＳＩＭカードの前記ＥＥＰＲＯＭ、または、前記ファイルの記録を行う前記移動局の前記メモリに置かれる。いくつかの実施形態では、前記メッセージそれ自体は、前記ＳＩＭカード、および／または、前記移動局の前記ＲＡＭメモリに記録される。この後、前記移動局は、前記ファイルを前記受取人に、または、前記受取人の第２アドレスに転送するか、または、前記受取人の電話番号をダイヤルし、かつ、前記呼出が応答されるとき、前記受取人へのプレイバックとして、または、前記呼出が前記ボイスメールボックスによって応答される場合、前記ボイスメールボックスに対するプレイバックとして、前記メッセージを再生する。データ、または、ボイス呼出のダイヤリングは、前記ＧＳＭ仕様書の段階２＋で特定される前記ＳＡＴ ＳＩＭアプリケーションツールキットの予防ＳＩＭ機能を使用するいくつかの実施形態と同様に、前記ＳＩＭカードから実現されるようにしてもよい。
【００５１】
前記本発明のいくつかの実施形態では、特別の接頭部および接尾部は、前記ネットワーク、前記ＳＩＭまたは前記移動局メモリに格納されてもよいとともに、前記データファイルへの記録の前に再生される。前記接頭部および／または接尾部は、例えば、“Ｍｒ． Ｊｅｒｏ Ｊａｒｖｅｎｐａａ からのメッセージを聞くだろう”と言うメッセージの後に再生するメッセージは、“これはＪｅｒｏ Ｊａｒｖｅｎｐａａのメッセージが終了した”である。前記メッセージが受信されたという事実は、前記発明に従った様々な方法で検出される。前記受取人または前記ボイスメールボックスが、応答または停止するとき、例えば、前記スクリーン上のフラッシュメッセージのＳＭＳメッセージとともに、前記メッセージが配信されたことを前記送信者または前記ネットワークに通知するために使用される可能性があるＤＴＭＦトーンは、送信および検出されてもよい。あるいは、前記受取人は、前記メッセージが本当に受信および／または認識されたという信号を送信するために、ボタンを押すこと、または、専用の行為を実行することを求められる。前記受取人の１人または数人が利用できない場合、前記メッセージは、メモリに保有されてもよいし、前記メッセージを送信するために、いくつかの他の試みがなされてもよい。いくつかの実施形態では、前記メッセージに対して、他の機能による時間、メモリ上の要求のような満了条件、または、様々な他の条件をセットすることが可能である。いくつかの実施形態では、前記ＳＩＭ、および、移動局は、例えば、接続を形成する、または、ダイヤリングするための前記受取人選択および命令を実行するＳＩＭと、メディアプレーヤーを提供することによる移動局とによって、互いにその方法を実行するようにしてもよい。多くの従来技術端末は、もうすでにＭＰ３プレーヤーまたはそのような機能を有している。
【００５２】
図７は、一般的に、端末装置のスクリーン上のソフトウェアユーザインターフェースとして実現される前記発明の特別な実施形態を表している。７２０は、現在の受取人が誰であるかを示すディスプレイである。前記ディスプレイ７２０は、単に、リストしても、スクロールしても、さもなければメッセージの現在の受取人を表示してもよい。いくつかの好適な実施形態では、前記受取人は、単に、音声認識によって操作されてもよい。マウスポインタ、または、いくつかの他のポインタでボタン７１０を押すことによって、記録が開始される。前記装置のレコーダーは、前記ボタンが開放されるまで、または、再び押されるまで、前記メッセージを記録する。記録がストップされると、前記メッセージは、前記受取人に送信される。いくつかの実施形態では、前記メッセージは、ＧＳＭ−データ、ＩＰ−ＲＡＮ−、ＵＭＴＳ−、ＷＡＰ−、Ｔｅｌｄｅｓｉｃ−、ＭＭＳ−、ｅメール−、ＬＡＮ−、および／または、ＷＬＡＮ−接続によって送信される。いくつかの実施形態では、前記メッセージは、次いで、前記受取人に送信されるｅメールに添付されるファイルに記録される。いくつかの実施形態では、前記メッセージは、次いで、テキストフォーマットに符号化されるデータファイルに記録される。次いで、このテキストは、前記受取人に次いで送信される前記ｅメールにペースト／書き込みされる。いくつかの実施形態では、前記受取人は、例えば、前記テキストフォーマットをデータファイルに戻す復号化によって、前記テキストフォーマットから前記メッセージを再生することができる。次いで、前記データファイルは、ＷＡＶ−プレーヤー、または、ＭＰ３−プレーヤーのようなメディアプレーヤーで再生されることができる。
【００５３】
いくつかの実施形態では、受取の際、自動再生を利用することが可能である。この実施形態では、前記オーディオ／ビデオメッセージは、前記メッセージの受取の際に、自動的に再生される。一般的に、いくつかの実施形態では、これは、前記メッセージを含む前記ファイルを開くこと、および、できる限り復号化、および／または、解読方法を使用することを意味する。電話ラインをダウンするプレイバックによってメッセージが到着するいくつかの実施形態では、自動再生は、これらの電話呼出に自動応答し、かつ、前記端末のスピーカーに呼出を再生するために使用される。
【００５４】
図８は、メッセージのバックアップのために、サーバーを利用する前記発明の特別な実施形態を表している。前記メッセージは、第１に、前記加入者端末８２０、８２１、８２２、８２３の間で直接交換される。しかし、メッセージが配信できない場合、いくつかの実施形態では、前記バックアップサーバー８１０に、または、送信端末に戻されるようにしてもよい。次いで、ｅメール、ボイスメールボックス、ＩＰ−アドレス、および／または、電話番号のような他のディレクトリーに再送、または、リルーティングするための試みは、前記サーバー８１０、または、前記オリジナル送信端末から開始されるようにしてもよい。いくつかの実施形態では、また、前記サーバー８１０は、メッセージに応答するために使用されるようにしてもよい。配信確認または配信不成功の確認の際に、メッセージが、例えば８２３の前記受信端末から、例えば８２０の送信端末まで、または、前記バックアップサーバー８１０まで発信（ｆｉｒｅｄ）されてもよい。さらに、配信確認または配信不成功の確認の際、メッセージが、前記バックアップサーバー８１０から、例えば８２０の前記送信端末まで発信されてもよい。
【００５５】
いくつかの好適な実施形態では、前記サーバー８１０は、ＤＢＭＳ（データベース管理システム Ｄａｔａｂａｓｅ Ｍａｎａｇｅｍｅｎｔ Ｓｙｓｔｅｍ）、データベース、ダイヤラー、および、メディアプレーヤーを具備する。一度、前記サーバー８１０がメッセージを含む配信されてないファイルを有すると、一般的に、それは、データベースに格納される。前記ファイルは、後に前記データベースから取ってこられ、そして前記発明に従って、再送、および／または、リルーティングされる。前記メッセージが前記受取人加入者端末に配信されていない場合、前記受取人、または、前記受取人のボイスメールボックスに、自動的にメッセージを再生することも可能である。いくつかの実施形態では、これは、前記受取人の電話番号をダイヤラーによってダイヤルすること、次いで、応答を待つこと、次いで、メディアプレーヤーによって前記メッセージを再生することが、自動的に行われる。一般的に、受取人が話すことを中止し、または、前記ボイスメールボックスが話すことを中止し、活中でないことを検出した後、前記受取人が応答し、かつ、前記メッセージを聞くための準備をするとき、音声認識は、認識に使用されるようにしてもよい。ダイレクトファイルの転送は、ボイスメールボックスを基準としたファイルへ、またはＦＴＰ、ＵＤＰ、ＴＣＰ／ＩＰ、ＨＴＴＰ、Ｈ３２３または他の情報転送プロトコルによって可能とされる８１０と同じタイプの他のバックアップサーバーに転送される。多数のバックアップサーバーを伴う実施形態では、前記メッセージは、前記受取人に最も近いバックアップサーバーに、すなわち、前記受取人に対して最も低い待ち時間で転送される。
【００５６】
リグレット機能は、求められていない断続的な、または、完結したメッセージを破棄するために、方法１０，２０，３０のいずれかの段階の初めから終わりまでの間、段階前、段階間、または、段階後に使用されるようにしてもよい。そして、それは、それがすでに送信されたときでさえ、前記メッセージのキャンセルを処理する前記バックアップサーバー８１０に直接送信されるようにしてもよい。いくつかの実施形態では、残念な（ｒｅｇｒｅｔ）信号は、例えば８２３の受信端末にまさに送信され、そして、前記受信者が前記メッセージを再生した後のいくつかの実施形態、または、これに関係ない実施形態では、前記メッセージは、前記受信端末でリグレットメッセージ受信の際に破棄される。
【００５７】
図９は、ピアツーピアサーバーネットワークを利用する、前記発明の特別な実施形態を表している。この実施形態では、端末９０１、９０２、９０３、９０４、９０５、９０６，９０７でのクライアントの全て、または、いくつかは、サーバーとして動作してもよい。この実施形態では、受取人クライアントが利用できない場合、配信されない前記メッセージは、いくつかのピア端末９０１、９０２、９０３，９０４、９０５、９０６、９０７に格納される。いくつかの実施形態では、それは、前記送信者の端末で維持され、そして、再送のための試みが継続的に、または、所定間隔でなされる。いくつかの実施形態では、前記配信されないメッセージは、前記送付先端末に最も近いピア端末に格納される。
【００５８】
前記発明は、上述の実施形態に対する引用とともに上記で説明され、前記発明のいくつかの有利な特徴は、例示されている。前記本発明の方法は、ソフトウェアアプリケーションと移動局の両方からフレキシブルな方法で、ボイスメールが電話番号に直接送信されることを許可する。前記発明の方法および手段は、その装置の電話番号を基礎として、即時のボイスメールが、いずれかのインターネット互換装置から受信されること、および、インターネット互換装置に送信されることを許可する。前記メッセージを格納する中央サーバーにとって、任意の必要性のみがあることになる。
【００５９】
ＩＰ−協定、および、インターネット呼出は、前記発明の加入者端末に従って、前記電話オーディオ装置に設けてもよい。さらに、ボイスハイパーリンクは、同じオーディオ装置とともに動作することを容易にする。また、ボイスメールを交換されたパケットの前記送信、受取、および、再生は、前記発明に従って、一様である。これは、メッセージが書かれる必要がないものとして、前記ＳＭＳよりも早く、かつ、電話に応答するために前記受取人を待つ必要のないものとして、電話呼出よりも早く、ショートメッセージの交換をさせる。ＩＰ上のフリーボイス＆ビデオとして、需要者に対してよりフレキシブルに、かつ、コストセービングをすることができるこれら全ての特徴を、実質的に使用することができる。
【００６０】
さらに有利なこととして、前記発明は、ＩＰ−アドレス、ｅメールアドレス、電話番号、および／または、ＩＳＤＮアドレス間で、一様に、および、即時的に、ボイスメールを交換するための、好適なユーザインターフェース、および、方法を導入する。
【００６１】
前記発明は、上述の実施形態を参照して上記で説明される。しかしながら、前記発明は、これらの実施形態に限られるわけではなく、発明の概念、および、特許請求の範囲内で可能な全ての実施形態を具備してもよい。
【図面の簡単な説明】
【図１】本発明による方法１０を示すフローチャートである。
【図２】本発明による方法２０を示すフローチャートである。
【図３】本発明による方法３０を示すフローチャートである。
【図４】本発明よるアドレス割り当てを示した図である。
【図５】本発明による加入者端末の装置５０を示した図である。
【図６】本発明による加入者端末のユーザインターフェースの装置６０を示した図である。
【図７】本発明による加入者端末のユーザインターフェースの他の装置７０を示した図である。
【図８】本発明によるバックアップサーバーの他の具体例８０を示した図である。
【図９】本発明によるバックアップサーバーを設けた他の具体例９０を示した図である。
【符号の説明】
４１０　　パケットストリーム／データファイル
４２０　　電話番号
４３０　　ＩＰ−アドレス
４４０　　ｅメール−アカウント
５００　　加入者端末
５１０　　ＩＰネットワーク接続
５２０　　電話ネットワーク接続
５３０　　オーディオ／ビデオプレーヤー
５４０　　オーディオ／ビデオドライバー
５５０　　オーディオ／ビデオ装置
【図１】
2004507944.tif 000003
【図２】
2004507944.tif 000004
【図３】
2004507944.tif 000005
【図４】
2004507944.tif 000006
【図５】
2004507944.tif 000007
【図６】
2004507944.tif 000008
【図７】
2004507944.tif 000009
【図８】
2004507944.tif 000010
【図９】
2004507944.tif 000011
【国際公開パンフレット】
2004507944.tif 000012
2004507944.tif 000013
2004507944.tif 000014
2004507944.tif 000015
2004507944.tif 000016
2004507944.tif 000017
2004507944.tif 000018
2004507944.tif 000019
2004507944.tif 000020
2004507944.tif 000021
2004507944.tif 000022
2004507944.tif 000023
2004507944.tif 000024
2004507944.tif 000025
2004507944.tif 000026
2004507944.tif 000027
2004507944.tif 000028
2004507944.tif 000029
2004507944.tif 000030
2004507944.tif 000031
2004507944.tif 000032
2004507944.tif 000033
2004507944.tif 000034
2004507944.tif 000035
2004507944.tif 000036
2004507944.tif 000037
2004507944.tif 000038
2004507944.tif 000039
2004507944.tif 000040
2004507944.tif 000041
2004507944.tif 000042
2004507944.tif 000043
2004507944.tif 000044
2004507944.tif 000045
【手続補正書】
【提出日】平成14年12月7日(2002.12.7)
【手続補正１】
【補正対象書類名】明細書
【補正対象項目名】特許請求の範囲
【補正方法】変更
【補正の内容】
【特許請求の範囲】
【請求項１】
少なくとも１つの移動加入者端末を具備する移動ボイスメールメッセージング方法であって、
少なく１人の受取人または１つのグループを選択する段階（１１０）と
少なくとも１つのボイス／ビデオメッセージを記録する段階（１２０）と
少なくとも１つの記録を前記移動加入者端末上の少なくとも１つのデータファイルに書き込む段階（１３０）と
電話ネットワークまたはインターネットを介して、無線ネットワーク接続によって少なくとも１つのデータファイルを少なくとも１人の受取人に送信する段階と
を具備することを特徴とするボイスメールメッセージング方法。
【請求項２】
少なくとも１つの移動加入者端末を具備する移動ボイスメールメッセージング方法であって、
少なく１人の受取人または１つのグループを選択する段階（２１０）と
少なくとも１つのボイス／ビデオメッセージを前記移動加入者端末上に記録する段階（２２０）と
電話ネットワークまたはインターネットを介して、少なくとも１人の受取人にデータファイル内のデータパケットをストリーミングする段階（２３０）と
少なくとも１人の受取人がパケットストリームを受信および／または再構築する段階（２４０）と
を具備することを特徴とするボイスメールメッセージング方法。
【請求項３】
少なくとも１つの移動加入者端末を具備する移動ボイスメールメッセージング方法であって、
少なく１人のメッセージ受取人を選択する段階（３０５）と
少なくとも１つのボイス／ビデオメッセージを記録する段階（３１０）と
少なくとも１つの記録を前記移動加入者端末上の少なくとも１つのデータファイルに書き込む段階（３１５）と
少なくとも１つのデータファイルをＩＰ−パケットに分解する段階（３２０）と
電話ネットワークまたはインターネットを介して、無線ネットワーク接続によって少なくとも１人の受取人にパケットをストリーミングする段階（３２５）とを具備することを特徴とするボイスメールメッセージング方法。
【請求項４】
スピーチ認識、専用キーボードアクセラレーター、ホットキー、専用キー、または、これらいずれかの組み合わせまたはこれらの置換によって前記端末装置の“接触”ファイルからポインタで前記受取人にラベルを貼ることにより、電話番号（４２０）に基づいて、または、前記加入者端末の電話帳内で前記受取人の電話番号に対応する名前に基づいて、前記受取人は選択されることを特徴とする請求項１ないし３のうちいずれか１に記載のボイスメールメッセージング方法。
【請求項５】
前記電話番号（４２０）および／または名前は、インターネット上、前記電話ネットワークまたは前記加入者端末のメモリから、ＩＰ−アドレス（４３０）、ｅメールアドレス（４４０）および／またはＩＳＤＮアドレスに変換されることを特徴とする請求項１ないし４のうちいずれか１に記載の方法。
【請求項６】
少なくとも１つの加入者端末は、ＴＣＰ／ＩＰ、ＣＤＭＡ、ＧＳＭ、ＧＰＲＳ、ＷＣＤＭＡ、ＵＭＴＳ、Ｔｅｌｄｅｓｉｃ、Ｉｒｉｄｉｕｍ、Ｉｎｍａｒｓａｔ、ＩＰ−ＲＡＮ、ＷＬＡＮ、Ｇｌｏｂａｌｓｔａｒ、ＤＩＧＩ−ＴＶ、ＳＳ７、ＨＴＴＰ、Ｈ３２３、ＩｒＤＡ、Ｂｌｕｔｏｏｔｈ、ＮＡＤＣ、ＰＣＳ、ＪＤＣ、ＩＳＤＮ、ＴＤＭＡ、ＥＤＧＥおよび／またはｉモードコンプライアント（ｃｏｍｐｌｉａｎｔ）移動局またはパーソナルコンピュータまたはアップルマッキントッシュコンピュータおよび／またはＰＤＡであることを特徴とする請求項１ないし３のうちいずれか１に記載の方法。
【請求項７】
受信器が利用できない場合、前記ボイスメールメッセージは、中央サーバーに格納されることを特徴とする請求項１ないし３のうちいずれか１に記載の方法。
【請求項８】
前記受信端末がデータフォーマットを再生できない場合、前記データ送信は、中央サーバーに格納され、前記サーバーは、再現データフォーマットに前記データフォーマットを変換し、かつ、それを同じディレクトリーまたは他のディレクトリーに送信し、
および／または前記サーバーは、リアルタイムまたは後に、電話通信接続および／またはインターネット接続を介して、受信加入者端末で音を出し、かつ、再生するために、前記データフォーマットを変換することを特徴とする請求項１ないし３および／または請求項７のうちいずれか１に記載の方法。
【請求項９】
前記パケットは、ＩＰ−パケットであり、前記データファイルは、ＭＰ３−またはＷＡＶ−ファイルであり、それらの送信および受取は、ＴＣＰ／ＩＰ、ＣＤＭＡ、ＧＳＭ、ＧＰＲＳ、ＷＣＤＭＡ、ＵＭＴＳ、Ｔｅｌｄｅｓｉｃ、Ｉｒｉｄｉｕｍ、Ｉｎｍａｒｓａｔ、ＩＰ−ＲＡＮ、ＷＬＡＮ、Ｇｌｏｂａｌｓｔａｒ、ＤＩＧＩ−ＴＶ、ＳＳ７、ＨＴＴＰ、Ｈ３２３、ＩｒＤＡ、Ｂｌｕｔｏｏｔｈ、ＮＡＤＣ、ＰＣＳ、ＪＤＣ、ＩＳＤＮ、ＴＤＭＡ、ＥＤＧＥおよび／またはｉモード標準で確認することを特徴とする請求項１ないし３のうちいずれか１に記載の方法。
【請求項１０】
少なくとも１人の受取人は、前記データファイルおよび／またはパケットストリームを受信および再生し、かつ、前記受取人は、少なくとも１人の送信者および／または少なくとも１人の受取人に応答するための機会が与えられることを特徴とする請求項１ないし３のうちいずれか１に記載の方法。
【請求項１１】
前記段階１４０、２３０、３２５の少なくとも１つは、通信接続または電話線を介して、プレイバックとして、接続をダイヤリングし、かつ、前記ファイルを再生することを特徴とする請求項１ないし３のうちいずれか１に記載の方法。
【請求項１２】
ソフトウェア（５３０，５４０）、インターネット接続（５１０）および／または電話ネットワーク接続（５２０）を具備する加入者端末（５００）であって、
前記ソフトウェア（５３０，５４０）は、前記インターネット（５１０）および／または前記ネットワーク接続（５２０）の両方を同時または別々の時間で使用してデータを送受信するために、および／または、ファイルを記録するためにおよび／または、再生するために設けられ、
前記ソフトウェア（５３０，５４０）は、前記両接続（５１０，５２０）とともに、同じオーディオおよび／またはビデオ装置（５５０）のいくつかまたは全てを使用するために設けられることを特徴とする加入者端末。
【請求項１３】
前記ソフトウェアアプリケーション（５３０）は、前記インターネット接続装置（５１０）および／または電話ネットワーク接続装置（５２０）のために、前記ソフトウェアおよび／または通信ドライバーと接続するＭＰ３−またはＷＡＶ−メディアプレーヤーまたは他のメディアプレーヤーであることを特徴とする請求項１２に記載の加入者端末（５００）。
【請求項１４】
前記加入者端末（５００）は、ＴＣＰ／ＩＰ、ＣＤＭＡ、ＧＳＭ、ＧＰＲＳ、ＷＣＤＭＡ、ＵＭＴＳ、Ｔｅｌｄｅｓｉｃ、Ｉｒｉｄｉｕｍ、Ｉｎｍａｒｓａｔ、ＩＰ−ＲＡＮ、ＷＬＡＮ、Ｇｌｏｂａｌｓｔａｒ、ＤＩＧＩ−ＴＶ、ＳＳ７、ＨＴＴＰ、Ｈ３２３、ＩｒＤＡ、Ｂｌｕｔｏｏｔｈ、ＮＡＤＣ、ＰＣＳ、ＪＤＣ、ＩＳＤＮ、ＴＤＭＡ、ＥＤＧＥおよび／またはｉモードコンプライアント移動局またはパーソナルコンピュータまたはアップルマッキントッシュコンピュータおよび／またはＰＤＡであることを特徴とする請求項１２に記載の加入者端末（５００）。
【請求項１５】
前記加入者端末（５００）は、前記インターネット接続（５１０）と前記電話ネットワーク接続（５２０）の両方から、前記オーディオおよび／またはビデオ装置（５５０）に対する一般的なデータバスを有する、ＵＭＴＳ−、ＧＳＭ−、ＷＡＰ−、Ｔｅｌｄｅｓｉｃ−、Ｉｎｍａｒｓａｔ−、Ｉｒｉｄｉｕｍ−、ＧＰＲＳ−、ＣＤＭＡ−および／またはＷＣＤＭＡ移動局またはパーソナルコンピュータまたはアップルマッキントッシュコンピュータおよび／またはＰＤＡであることを特徴とする請求項１２に記載の加入者端末（５００）。
【請求項１６】
少なくとも１つのソフトウェア（５３０，５４０）は前記加入者端末（５００）のオペレーティングシステムの統合部分の一部および／または前記加入者端末（５００）の前記オペレーティングシステムの制御下で動作するアプリケーションであることを特徴とする請求項１２または請求項１３記載のソフトウェアアプリケーション。
【請求項１７】
少なくとも１つのメディアプレーヤーと、少なくとも１つのダイヤラーと、少なくとも１つの電話接続および／または少なくとも１つのネットワーク接続を具備するネットワークサーバーであって、
前記ネットワークサーバーは、データファイルフォーマット内に、配信されなかったメッセージまたはメッセージのコピーを受信、格納、かつ、転送するために配置され、
前記ネットワークサーバーは、ディレクトリーに、ファイルフォーマット内に電子的に少なくとも１つの他のネットワークサーバーまたはボイスメールボックスにおよび／または、少なくとも１人の受取人および／または１つのボイスメールボックスに、少なくとも１つのメディアプレーヤーで前記メッセージを電話ラインに流すことによって、メッセージを再送、および／または、リルーティングするために設けられることを特徴とするネットワークサーバー。
【請求項１８】
再送および／またはリルーティングするディレクトリーは、前記受取人のｅメールまたはボイスメールであることを特徴とする請求項１７に記載のネットワークサーバー。
【請求項１９】
受取人接触情報、少なくとも１つの電話および／またはインターネット接続手段、メディアレコーダーおよびユーザインターフェースおよびオーディオおよび／またはビデオ記録および／または再生手段を具備するクライアント端末であって、
前記ユーザインターフェースからの少なくとも１つの専用行為は、関連した受取人接触情報から少なくとも１人のメッセージ受取人、または、受取人のグループを示し、かつ、前記オーディオおよび／またはビデオ記録および／または再生手段からオーディオおよび／またはビデオ信号をデータファイルに記録するために、前記メディアレコーダーを設け、前記データファイルは、さらに、前記電話および／またはインターネット接続を使用して少なくとも１つの示された受取人に、送信、再生、および／または、再現されることを特徴とするクライアント端末。
【請求項２０】
前記専用行為は、口述で与えられ、かつ、スピーチ認識、現実またはバーチャルなボタン、専用キーボードアクセラレーター、ホットキー、専用キー、または、これらいずれかの組み合わせまたはこれらの置換によって、認識されることを特徴とする請求項１９記載のクライアント端末。
【国際調査報告】
2004507944.tif 000046
2004507944.tif 000047